(57)【特許請求の範囲】
【請求項１】
２本の回線の各々を、モデムあるいは電話機に択一的に切り替え接続し、データ通信と通話とを並行できるようにした回線接続装置であって、
上記２本の回線のうちの一方の回線と接続され該一方の回線を通じて送出されて来る呼出信号を検出する第１呼出信号検出手段と、上記２本の回線のうちの他方の回線と接続され該他方の回線を通じて送出されて来る呼出信号を検出する第２呼出信号検出手段と、上記モデムを上記２本の回線のいずれかに接続するために切り替える第１切替部と、上記電話機を上記２本の回線のいずれかに接続するために切り替える第２切替部と、呼出音を発生させる第１呼出音発生手段とを備え、
上記第１呼出信号検出手段、上記第２呼出信号検出手段が、上記２本の回線のうちのいずれか一方から呼出信号を検出すると、上記第１切替部により呼出信号を検出したその回線を上記モデムに接続し、相手がファクシミリ装置か電話機かを判断して、相手がファクシミリ装置であれば、そのまま該モデムとの接続状態を継続し、ファクシミリ通信を開始させる一方、その回線の相手が電話機であれば、上記第１呼出音発生手段により呼出音を発生させ、これに対して電話機が応答すれば、上記第２切替部によりその回線を電話機に接続させる構成とし、かつ、
上記２本の回線のうちの一方の回線が上記モデムと接続されている場合に、上記第１呼出信号検出手段、上記第２呼出信号検出手段が、他方の回線から呼出信号を検出したときには、上記第１呼出音発生手段により呼出音を発生させ、これに対して電話機が応答すれば、上記第２切替部によりその他方の回線を電話機に接続させる一方、上記２本の回線のうちの一方の回線が上記電話機と接続されている場合に、上記第１呼出信号検出手段、上記第２呼出信号検出手段が、他方の回線から呼出信号を検出したときには、上記第１切替部により呼出信号を検出したその他方の回線を上記モデムに接続し、相手がファクシミリ装置か電話機かを判断して、相手がファクシミリ装置であれば、そのまま該モデムとの接続状態を継続し、ファクシミリ通信を開始させる構成としている回線接続装置。
【請求項２】
上記回線接続装置は、呼出音を発生させる第２呼出音発生手段を更に備え、
上記２本の回線のうちの一方の回線は上記モデムによるデータ通信中であり、他方の回線は上記電話機による通話中である状態において、上記モデムが会話予約要求信号を検出したときは、上記第２呼出音発生手段を作動させることを特徴とする請求項１に記載の回線接続装置。
【請求項３】
上記通話中の電話機が呼出音の発生に対応して所定の操作を行ったことを検出したときは、通話中である回線を保留状態にして、モデムを接続している回線を電話機に切り替え接続することを特徴とする請求項２に記載の回線接続装置。
【発明の詳細な説明】
【０００１】
【発明の属する技術分野】
本発明は、ファクシミリ装置などに適用される回線接続装置に関する。
【０００２】
【従来の技術】
従来からファクシミリ装置には、２回線を接続し、各々の回線に対して設けられたモデムを通じて、ファクシミリ通信が並行してできるものがある。すなわち、この種のファクシミリ装置では、各々のモデムでデータ信号を変復調し、各々のアナログ回線を通じ、並行したファクシミリ通信を可能とする。
【０００３】
また、ファクシミリ装置には、通常、付属電話機が備わっており、２回線を接続していれば、予め、モデムと電話機の各々に対し、回線が割り当てられているので、各回線を通じ、ファクシミリ通信と通話が並行して出来るようになっている。
【０００４】
【発明が解決しようとする課題】
ところが、上記のような従来のファクシミリ装置では、データ通信と通話を並行して行うためには、予め、回線を割り当てておかなければならなかった。
また、ファクシミリ装置には、送信側の操作により、ファクシミリ通信前や通信後に会話が出来る会話予約機能が備わっているが、２回線を接続する形態においては、ファクシミリ通信をする回線でない、もう一方の回線で、電話機が通話中のときは、その機能を実行することができなかった。
【０００５】
本発明は、このような事情に鑑みてなされたものであり、２回線を予めデータ通信と通話に割り当てておく必要がなく、また、モデムでのデータ通信時における会話予約機能が、電話機が通話中であっても実行できるようにした、ファクシミリ装置などに適用される回線接続装置を提供することを目的としている。
【０００６】
【課題を解決するための手段】
上記目的を達成するために、本発明の請求項１に記載の回線接続装置は、２本の回線の各々を、モデムあるいは電話機に択一的に切り替え接続し、データ通信と通話とを並行できるようにした回線接続装置であって、上記２本の回線のうちの一方の回線と接続され該一方の回線を通じて送出されて来る呼出信号を検出する第１呼出信号検出手段と、上記２本の回線のうちの他方の回線と接続され該他方の回線を通じて送出されて来る呼出信号を検出する第２呼出信号検出手段と、上記モデムを上記２本の回線のいずれかに接続するために切り替える第１切替部と、上記電話機を上記２本の回線のいずれかに接続するために切り替える第２切替部と、呼出音を発生させる第１呼出音発生手段とを備え、上記第１呼出信号検出手段、上記第２呼出信号検出手段が、上記２本の回線のうちのいずれか一方から呼出信号を検出すると、上記第１切替部により呼出信号を検出したその回線を上記モデムに接続し、相手がファクシミリ装置か電話機かを判断して、相手がファクシミリ装置であれば、そのまま該モデムとの接続状態を継続し、ファクシミリ通信を開始させる一方、その回線の相手が電話機であれば、上記第１呼出音発生手段により呼出音を発生させ、これに対して電話機が応答すれば、上記第２切替部によりその回線を電話機に接続させる構成とし、かつ、上記２本の回線のうちの一方の回線が上記モデムと接続されている場合に、上記第１呼出信号検出手段、上記第２呼出信号検出手段が、他方の回線から呼出信号を検出したときには、上記第１呼出音発生手段により呼出音を発生させ、これに対して電話機が応答すれば、上記第２切替部によりその他方の回線を電話機に接続させる一方、上記２本の回線のうちの一方の回線が上記電話機と接続されている場合に、上記第１呼出信号検出手段、上記第２呼出信号検出手段が、他方の回線から呼出信号を検出したときには、上記第１切替部により呼出信号を検出したその他方の回線を上記モデムに接続し、相手がファクシミリ装置か電話機かを判断して、相手がファクシミリ装置であれば、そのまま該モデムとの接続状態を継続し、ファクシミリ通信を開始させる構成としている。
【０００７】
すなわち、この装置は、呼出信号を検出して、一旦モデムで着信し、相手がファクシミリ装置であれば、その回線をそのままモデムに接続し、相手が電話機であれば、疑似呼出音を鳴動させ、電話機で応答すれば、その回線を電話機と接続するように制御する。また、一方の回線が使用中であっても、他方の回線を通じた呼出信号を検出できるので、モデムによる通信中であっても電話機による通話を開始し、逆に、電話機による通話中であってもモデムによる通信を開始することができる。
【０００８】
請求項２では、上記回線接続装置は、呼出音を発生させる第２呼出音発生手段を更に備え、上記２本の回線のうちの一方の回線は上記モデムによるデータ通信中であり、他方の回線は上記電話機による通話中である状態において、上記モデムが会話予約要求信号を検出したときは、上記第２呼出音発生手段を作動させることを特徴とする。
これによって、一方の回線を通じて電話機で通話中であっても、この電話機で、他方の回線を通じて会話予約があったことが分かるので、通話を終了させて、他方の回線の会話予約に対応することが可能になる。
【０００９】
請求項３では、請求項２において、通話中の電話機が呼出音の発生に対応して所定の操作を行ったことを検出したときは、通話中である回線を保留状態にして、モデムを接続している回線を電話機に切り替え接続することを特徴とする。
例えば、フック操作によって回線の接続が切り替わるようにすれば、電話機をキャッチホンサービスと同じ態様で使用することができる。そして、会話予約での通話が終了すれば、再度のフック操作などによって、保留状態を解除し、回線の接続を元に戻して、通話を再開できる。
【００１０】
【発明の実施の形態】
以下に、本発明の実施の形態について、図面とともに説明する。
図１は、本発明の回線接続装置が適用されるファクシミリ装置Ｆの構成の一例を示したブロック図である。なお、本発明は、２本のアナログ回線Ｌ１，Ｌ２を接続して、データ通信と通話が可能な装置であればよく、例えば、パーソナルコンピュータ等にも適用できる。
【００１１】
モデム１は、回線Ｌ１，Ｌ２のいずれか一方を通じて通信する信号を変調、復調する。電話機２は、回線Ｌ１，Ｌ２のいずれか一方を通じて通話を行う。ＣＩ検出回路３は、回線Ｌ１を通じて送出されて来る呼出信号を検出し、また、ＣＩ検出回路４は、回線Ｌ２を通じて送出されて来る呼出信号を検出する。すなわち、これらのＣＩ検出回路３，４が、本発明の呼出信号検出手段を構成する。
【００１２】
ファクシミリ通信制御部５はファクシミリ通信手順を制御する。オフフック検出回路６は、電話機２のハンドセットの取り上げ等によるオフフックと、元に戻したときのオンフックを検出する。疑似ベル発生回路７は、本発明の第１呼出音発生手段を構成し、電話機２に呼出音を送出する。アラームスピーカー８は、本発明の第２呼出音発生手段を構成する。
【００１３】
切替部１１は、モデム１を回線Ｌ１あるいは回線Ｌ２に接続するために切り替えられ、切替部１２は、電話機２を回線Ｌ１あるいは回線Ｌ２に接続するために切り替えられる。
ＣＰＵ２０はこのファクシミリ装置Ｆの各部を制御する。読取部２１は、ファクシミリ送信する画像を原稿から読み取る。記録部２２は他のファクシミリ装置などから受信した画像を記録紙に印字出力する。操作部２３は各種キーなどで構成され、このファクシミリ装置Ｆに対し各種入力設定を行うとともに、液晶画面やＬＥＤなどを備えて、このファクシミリ装置Ｆの動作状態や操作手順などを表示する。
【００１４】
なお、ファクシミリ装置Ｆには、この他、ファクシミリ通信する画像を符号化及び復号化するコーデックや、制御プログラムなどを記憶したＲＯＭ、処理に必要なデータを書換え可能に記憶するＲＡＭなどを備えている。
このファクシミリ装置Ｆは、読取部２１で読み取った画像データを符号化して、回線Ｌ１，Ｌ２のいずれかを通じて送信し、また、回線Ｌ１，Ｌ２のいずれかを通じて受信した画像データを復号し、記録部２２から印字出力する。また、電話機２によって、回線Ｌ１，Ｌ２のいずれかを通じた通話もできるようになっている。
【００１５】
このファクシミリ装置Ｆ（電話機２）から相手方を呼び出すときは、予め定められた順序に従って、空いている回線Ｌ１，Ｌ２を使用して発呼すればよいが、相手方から呼出があったときには、以下のように動作する。
ＣＩ検出回路３，４が、いずれかの回線Ｌ１，Ｌ２からの呼出信号（ＣＩ）を検出すると、ＣＰＵ２０は、その回線Ｌ１又はＬ２をモデム１に接続して、ファクシミリ通信手順信号を検出し、相手がファクシミリ装置であるかどうか判断する。相手がファクシミリ装置であれば、そのまま通信を継続する。
【００１６】
一方、呼出から所定時間待ってもファクシミリ通信手順信号を検出しないで、相手が電話機であると判断すれば、電話機２に対し、疑似ベル発生回路７から疑似ベルを鳴動させ、これに対して電話機２で応答すれば、その回線Ｌ１又はＬ２を電話機２と接続する。例えば、回線Ｌ２からの呼出信号をＣＩ検出回路４が検出した場合、電話機２を呼び出すときは、着信後に切替部１２をｂ側にして、電話機２から疑似ベルを鳴動させた後、オフフック検出回路６が電話機２の応答を検知すると、切替部１２をｃ側にして、回線Ｌ２と電話機２とを接続する。
【００１７】
なお、このような動作は、一方の回線Ｌ１，Ｌ２が使用中であっても、他方の回線Ｌ２，Ｌ１を通じて送出されて来る呼出信号が、ＣＩ検出回路４，３によって検出できるので、２本の回線Ｌ１，Ｌ２の各々を切替部１１，１２によって択一的に切り替え接続し、モデム１による通信と、電話機２による通話との並行動作を可能としている。
【００１８】
このように、本発明では、予め、２本の回線Ｌ１，Ｌ２を、それぞれ、データ通信用と通話用に割り当てておく必要がない。したがって、いずれの回線Ｌ１，Ｌ２のいずれかから呼出があったときには、その相手がファクシミリ装置、電話機のいずれであっても、適宜、切替部１１，１２を切り替えて、データ通信あるいは通話を行うことが出来る。
【００１９】
また、一方の回線Ｌ１，Ｌ２で、モデム１によるデータ通信中（画像データ通信前を含む）に、モデム１が会話予約要求信号を検出したときは、疑似ベル発生回路７を作動させ、電話機２に呼出音を発生させる。
このとき、電話機２は他方の回線Ｌ２，Ｌ１を通じた通話中でなくてもよいが、通話中であっても、アラームスピーカー８より会話予約があったことを通知すれば、通話を終了させ、会話予約に対応することが可能になる。
【００２０】
更に、この呼出音に対応して、電話機２がフック操作などの所定の操作を行ったときは、これを検出したオフフック検出回路６から通知を受けたＣＰＵ２０は、通話中である回線Ｌ２，Ｌ１を保留状態にして、モデム１を接続している回線Ｌ１，Ｌ２を電話機２に切り替え接続する。
例えば、回線Ｌ２がモデム１と接続（切替部１１がｂ側）されており、回線Ｌ１が電話機２と接続（切替部１２がａ側）されている状態で、モデム１が回線Ｌ２を通じて会話予約要求を検出したときには、アラームスピーカー８を鳴動させる。これに対して、電話機２で所定の操作（例えば、フッキングなど）を行えば、回線Ｌ２と電話機２を接続（切替部１２をｃ側）にし、回線Ｌ１とモデム１とを接続（切替部１１をａ側）にして、モデム１から保留音（メロディ）を送出する。なお、この保留音は、モデム１から送出することには限定されず、他の専用回路を用いてもよい。そして、会話予約での通話が終了すれば、再度の電話機２のフック操作などによって、保留状態を解除し（切替部１１をａ側とｂ側の双方から離す）、回線Ｌ１と電話機２とを接続状態（切替部１２をａ側）に戻す。
【００２１】
このように、電話機２と回線Ｌ１，Ｌ２との接続を、フック操作などによって、一方を保留状態にしたまま切り替えるようにすれば、この電話機２をキャッチホンサービスと同じ態様で使用することができる。
次に、以上に説明したファクシミリ装置Ｆの動作を、図２にフローチャートで示す。
【００２２】
いずれかの回線Ｌ１，Ｌ２から呼出信号を検出したときに、モデム１が使用中（通信中）でなければ、その回線Ｌ１，Ｌ２をモデム１に接続する（１００〜１０２）。相手がファクシミリ装置であれば、ファクシミリ通信（受信）を開始するが、その通信中に会話予約要求があれば、電話機２を呼び出すべく電話機２の使用状態（通話中かそうでないか）を参照する（１０３〜１０７）。
【００２３】
なお、ここでは、会話予約要求が、通信後に会話するためにファクシミリ通信中にあった例を示したが、通信前に会話するためにファクシミリ通信前にあってもよく、また、受信する原稿画像のページ間で通話するために通信中にあってもよい。この場合、ページ間で通話が終了すれば、続きのページから継続してファクシミリ通信を行う。
【００２４】
また、会話予約要求は、相手方のファクシミリ装置などから送出されて来るのが普通であるが、ファクシミリ装置Ｆの本体と、電話機２とが離れて設置されているような場合では、ファクシミリ送信中に誤って、電話機２が通話中であることを知らずに、ファクシミリ装置Ｆ本体で操作部２３の会話予約キー（不図示）を操作することがあり、本発明ではこのような場合も含めることとして、同じように動作してもよい。
【００２５】
会話予約要求があったときに、電話機２が使用中でなければ、疑似ベルを発生させる（１０８）。また、呼出信号を検出したときに、モデム１が使用中であった場合（１０１）も、疑似ベルを鳴動させるが、電話機２を回線Ｌ１，Ｌ２に接続して直接鳴動させてもよい。このとき、相手がファクシミリ装置であれば、ファクシミリ通信を開始することはできないが、電話機の場合は、以下の通話動作を行う。
【００２６】
疑似ベルの鳴動に対する電話機２のオフフックを検出すれば、電話機２を呼出があった回線Ｌ１，Ｌ２に接続し、通話を開始する（１０９〜１１１）。そして、通話の終了をオンフックで検出すれば、その回線Ｌ１，Ｌ２を開放する（１１２，１１３）。
一方、会話予約要求があったときに電話機２が使用中であれば、アラームスピーカー８を鳴動させる（１１４）。ここでは、ファクシミリ装置Ｆに疑似ベル発生回路７とは別に設けられたアラームスピーカー８を鳴動させるようにしており、これを、電話機２で通話中の人が聞いてフッキングすれば、通話中の回線Ｌ２，Ｌ１を開放し、他方の会話予約があった回線Ｌ１，Ｌ２を接続して通話を行う（１１５，１１６，１１１〜１１３）。また、フッキングされずに、所定の時間（例えば５秒）が経過したときには、元の回線Ｌ２，Ｌ１での通話を継続する（１１７，１１１〜１１３）。なお、ここでは、フッキングしたときは、通話中の回線Ｌ２，Ｌ１を開放しているが、上述したように、この回線Ｌ２，Ｌ１を保留状態にして、会話予約での通話が終了したときに、保留状態を解除し、通話を再開できるようにしてもよい。
【００２７】
【発明の効果】
以上の説明からも理解できるように、本発明に請求項１に記載の回線接続装置では、２本の回線を共用し、モデムあるいは電話機に択一的に切り替え接続して、データ通信と通話とを並行させているので、予め、２本の回線のそれぞれを、データ通信用と通話用に割り当てておく必要がなく、着信の自由度が向上する。すなわち、２本の回線のいずれかから呼出があったときに、その相手がファクシミリ装置、電話機のいずれであっても、適宜、回線の接続を切り替え制御して、データ通信あるいは通話を行うことが出来る。
【００２８】
請求項２では、モデムがデータ通信中に会話予約要求を検出したときに、電話機が通話中であっても、会話予約があったことを知らせるので、電話機で通話を終了させて、会話予約に対応することができる。
請求項３では、電話機で所定の操作を行えば、通話中である回線を保留状態にして、データ通信していた回線に接続されるので、従来、通話中には対応できなかった会話予約に、簡単に対応できる。
【図面の簡単な説明】
【図１】本発明の回線接続装置（ファクシミリ装置）の構成の一例を示すブロック図である。
【図２】ファクシミリ装置の基本動作の一例を示すフローチャートである。
【符号の説明】
Ｆ・・・ファクシミリ装置
Ｌ１，Ｌ２・・・回線
１・・・モデム
２・・・電話機
３・・・ＣＩ検出回路（回線Ｌ１用）
４・・・ＣＩ検出回路（回線Ｌ２用）
６・・・オフフック検出回路
７・・・疑似ベル発生回路
８・・・アラームスピーカー
１１・・・切替部（モデム用）
１２・・・切替部（電話機用）
【図１】
0004088989.tif 000002
【図２】
0004088989.tif 000003